(57)【特許請求の範囲】
【請求項１】
相手ハウジングと嵌合可能なハウジングには、一対のアーム部の外側端部が連結部にて連結され前記アーム部にカム溝を備えたレバーが回動可能に装着され、このレバーが初期位置から完了位置側へ回動されるのに伴って、前記カム溝に沿って前記相手ハウジングに設けたカムピンが変位することで両ハウジングが嵌合または離脱されるようになっているとともに、前記完了位置は、前記レバーを前記ハウジングの外面からの突出量を前記初期位置に比して減少させた格納位置と一致し、かつ前記レバーは前記初期位置と前記格納兼完了位置においてそれぞれ保持されるようになっているレバー式コネクタであって、
前記ハウジングには、弾性変形可能な弾性片が片持ち状に一体形成されかつその延出端部外面には保持突部が外方へ突出して形成される一方、前記アーム部における前記レバーの回動軌跡の外側端部近傍には係合片が突設され、前記初期位置においては前記係合片の前面が前記弾性片の延出端面に係合することにより、前記レバーが前記初期位置から前記格納兼完了位置へ回動するのを規制可能であり、
また、前記保持突部における前記レバーの回動軌跡の外周側となる縁部には弾性片の長さ方向に細長い保持力増強突部が外方へ突出して形成され、かつ前記保持突部において前記延出端部と反対側には傾斜面をなす解除案内面が形成されかつ前記保持力増強突部にはこの解除案内面に連続した勾配を有する傾斜面が形成される一方、前記レバーの前記アーム部には前記係合片と前記連結部との間には係合孔が穿設され、前記格納兼完了位置においては前記係合孔内に前記保持突部が進入し、この保持突部の前記延出端面とその反対側の面が前記係合孔の孔縁にそれぞれ係合することで、前記レバーが格納兼完了位置に保持されるようになっていることを特徴とするレバー式コネクタ。
【請求項２】
前記弾性片が前記ハウジングの表裏両側面に一対設けられるとともに、その撓み方向が共に内向きとなっていることを特徴とする請求項１記載のレバー式コネクタ。
【請求項３】
前記格納位置及び前記完了位置に達した前記レバーと前記ハウジングとが衝合する部位には、衝合に伴って検知音を発生させる検知音発生手段が設けられていることを特徴とする請求項１または請求項２記載のレバー式コネクタ。
【発明の詳細な説明】
【０００１】
【発明の属する技術分野】
本発明は、レバー式コネクタに関する。
【０００２】
【従来の技術】
従来、レバー式コネクタの一例として特開平８−１８５９２６号公報に記載されたものが知られている。このものは、内部に雌ハウジングが嵌合可能とされる雄ハウジングにカム溝を有するレバーが回動可能に装着されており、レバーが雄ハウジングの上方に突出した初期位置から完了位置へと回動されるのに伴って、カム溝に沿って雌ハウジングのカムピンが変位することで、雌ハウジングが引き込まれるようになっている。
このコネクタの製造手順としては、まず成形現場にて雄雌のハウジングとレバーとを成形した後、雄ハウジングに対してレバーを初期位置に装着した状態で、上記嵌合作業などを行う組付現場へ搬送している。しかしながら、搬送途中では、初期位置としたレバーが雄ハウジングから突出しているため、その突出部分に他部品が干渉するとレバーが変形したり破損する可能性がある。
【０００３】
その対策として、レバーの装着位置として新たに雄ハウジングからのレバーの突出量が小さくなるような格納位置を設定することが考えられる。すなわち、搬送前の段階で、雄ハウジングに対してレバーを格納位置に装着しておくことで、搬送途中でのレバーの変形などの不具合を回避するのである。この場合、組付現場への搬送後にレバーを初期位置に戻してから、雌ハウジングとの嵌合作業を行うようにする。
【０００４】
【発明が解決しようとする課題】
ところが、上記のようにレバーの装着位置を格納位置と初期位置との２つ設定するには、レバーを両位置に位置決め保持するために２つの保持手段をレバーとハウジングとにそれぞれ設ける必要がある。このため、コネクタの構造が複雑化するという問題があった。
本発明は上記のような事情に基づいて完成されたものであって、コネクタの構造を簡単にすることを目的とする。
【０００５】
【課題を解決するための手段】
上記の目的を達成するための手段として、請求項１の発明は、相手ハウジングと嵌合可能なハウジングには、一対のアーム部の外側端部が連結部にて連結され前記アーム部にカム溝を備えたレバーが回動可能に装着され、このレバーが初期位置から完了位置側へ回動されるのに伴って、前記カム溝に沿って前記相手ハウジングに設けたカムピンが変位することで両ハウジングが嵌合または離脱されるようになっているとともに、前記完了位置は、前記レバーを前記ハウジングの外面からの突出量を前記初期位置に比して減少させた格納位置と一致し、かつ前記レバーは前記初期位置と前記格納兼完了位置においてそれぞれ保持されるようになっているレバー式コネクタであって、前記ハウジングには、弾性変形可能な弾性片が片持ち状に一体形成されかつその延出端部外面には保持突部が外方へ突出して形成される一方、前記アーム部における前記レバーの回動軌跡の外側端部近傍には係合片が突設され、前記初期位置においては前記係合片の前面が前記弾性片の延出端面に係合することにより、前記レバーが前記初期位置から前記格納兼完了位置へ回動するのを規制可能であり、また、前記保持突部における前記レバーの回動軌跡の外周側となる縁部には弾性片の長さ方向に細長い保持力増強突部が外方へ突出して形成され、かつ前記保持突部において前記延出端部と反対側には傾斜面をなす解除案内面が形成されかつ前記保持力増強突部にはこの解除案内面に連続した勾配を有する傾斜面が形成される一方、前記レバーの前記アーム部には前記係合片と前記連結部との間には係合孔が穿設され、前記格納兼完了位置においては前記係合孔内に前記保持突部が進入し、この保持突部の延出端面とその反対側の面が前記係合孔の孔縁にそれぞれ係合することで、前記レバーが格納兼完了位置に保持されるようになっている構成としたところに特徴を有する。
【０００６】
請求項２の発明は、請求項１に記載のものにおいて、前記弾性片が前記ハウジングの表裏両側面に一対設けられるとともに、その撓み方向が共に内向きとなっているところに特徴を有する。
請求項３の発明は、請求項１または請求項２に記載のものにおいて、前記格納位置及び前記完了位置に達した前記レバーと前記ハウジングとが衝合する部位には、衝合に伴って検知音を発生させる検知音発生手段が設けられている
ところに特徴を有する。
【０００９】
【発明の作用及び効果】
＜請求項１の発明＞
ハウジングとレバーとを組付現場へ搬送する前に、ハウジングに対してレバーを格納位置に組み付けておく。搬送途中では、格納位置としたレバーが他部品との干渉により損傷を受けるのを極力回避できる。組付現場へ搬送した後、レバーを格納位置から初期位置に戻してから、両ハウジングの嵌合作業を行う。
弾性片はレバーの初期位置での係合と格納兼完了位置における保持のいずれにも利用されるため、コネクタの構造を簡単にすることができる。
また、保持力増強突部に解除案内面に連続した勾配を有する傾斜面を形成したため、つまり格納位置におけるレバーの保持をセミロックとしたため、組付現場に搬入した後にレバーを格納兼完了位置から初期位置に戻す作業を容易に行うことができる。しかし、その場合においても弾性片には保持力増強突部が形成されているため、格納位置におけるレバーの保持力は充分なものとなっている。
【００１０】
＜請求項２の発明＞
両弾性片を外側から摘んで押圧することで、初期位置係合部との係合状態を解除しつつ内側に撓ませることができる。従って、例えば搬送前の段階でレバーを初期位置から格納位置に回動させる際の作業性が良好となる。
＜請求項３の発明＞
レバーが格納兼完了位置に達したかどうかを検知音の有無によって検知できるから、レバーが途中位置に留められるといった不具合を回避することができる。
【００１３】
【発明の実施の形態】
本発明の一実施形態を図１ないし図１８によって説明する。この実施形態に示すレバー式コネクタは、分割ハウジング２７などを収容するハウジング本体２１にレバー３５を装着してなる雌コネクタ２０と、ジャンクションボックス（図示せず）に一体化された雄コネクタ１０とが互いに嵌合されるようになっている。なお以下では両コネクタ１０，２０における嵌合面側を前方として説明する。
【００１４】
雄コネクタ１０は、図１に示すように、ジャンクションボックスの上面側に一体成形された合成樹脂製の雄ハウジング１１を備え、この雄ハウジング１１は、上方に開口するとともに内側に雌コネクタ２０が嵌合可能とされるフード部１２を有している。雄ハウジング１１の底面からは、図示しない雄タブ端子が複数本突設されているとともに、雌コネクタ２０の嵌合動作を案内するための断面Ｔ字状のガイド片１３が２本上方へ突出して設けられている。
【００１５】
フード部１２は、横長の略角筒状に形成されており、その長手部分の内面図示左寄り位置には、レバー３５のカム溝３９に係合可能とされる円形のカムピン１４が一対互いに対向する位置に配設されている。両カムピン１４の前方には、雌コネクタ２０のフランジ３３を逃がすための一対の切欠部１５がフード部１２の上縁部を切り欠いて形成されている。フード部１２の長手部分の内面右寄り位置には、レバー３５が回動時に外側へ開くのを許容する一対の逃がし凹部１６が対向状に配設されている。両逃がし凹部１６の右端上部には、後に詳しく説明する雌コネクタ２０の第２弾性片４４に係合可能な解除突部１７がそれぞれ突出して対向状に設けられている。解除突部１７の前面は、テーパ状に形成されている。フード部１２のうち右側の短手部分は、他の部分よりも一段低く形成されるとともに、その内面上端部には、レバー３５のロックアーム４０に係止可能なロック突部１８が設けられている。
【００１６】
次に雌コネクタ２０について説明する。ハウジング本体２１は、合成樹脂製とされ、図１及び図３に示すように、後方へ開口する横長の略箱型に形成されるとともに、内部が縦に仕切られることで、後方から３つの分割ハウジング２７を個別に収容可能な収容室２２が３室並んで配設されている。ハウジング本体２１における図３の右端の収容室２２の下側には、電線の端末に接続された雌端子金具（図示せず）を後方から挿入可能なキャビティ２３が２室並んで設けられている。ハウジング本体２１の前壁２４には、図２に示すように、両コネクタ１０，２０の嵌合時に相手の雄タブ端子の挿通を許容する端子挿通孔２５が対応する位置に複数穿設されるとともに、ガイド片１３の挿通を許容するガイド片挿通孔２６が２つ穿設されている。
【００１７】
各分割ハウジング２７は、合成樹脂製とされ、図１に示すように、それぞれ大きさが異なる複数種類の雌端子金具（図示せず）が収容可能とされるキャビティ２８を複数室並んで備えており、各キャビティ２８は対応する雌端子金具に合わせた大きさにそれぞれ形成されている。なお、各キャビティ２３，２８内に挿入される雌端子金具は、ランスなどの端子保持手段によって抜け止め保持可能とされている。各分割ハウジング２７の両外側面には、図１２に示すように、抜け止め突部２９が一対ずつ設けられており、この抜け止め突部２９が各収容室２２の内面に一対ずつ突設された各被抜け止め突部３０（図３参照）の前側に係止されることで、各分割ハウジング２７をハウジング本体２１から抜け止め保持可能とされている。また、図１に示す中央と右側の分割ハウジング２７には、雄コネクタ１０のガイド片１３を受け入れ可能なガイド溝部（図示せず）が前方へ開口してそれぞれ形成されている。
【００１８】
ハウジング本体２１の両長手壁３１の外面における後部左寄り位置には、図７に示すように、レバー３５を回動可能に軸支するための軸突部３２が一対設けられている。軸突部３２は、前後に細長いブロック状に形成されるとともに、その前後面が円弧状に形成されている。両軸突部３２の突出端には、装着したレバー３５の外開きを規制するための円板状のフランジ３３がそれぞれ設けられている。両長手壁３１の外面には、レバー３５の回動軌跡に沿って湾曲した形状の回動案内リブ３４が軸突部３２に対して左側に１つ、右側に２つ互いに分離した状態で設けられており、各回動案内リブ３４にレバー３５の外周縁が摺接されることでその回動動作を案内可能とされている。
【００１９】
レバー３５は、合成樹脂製とされ、図１に示すように、一対のアーム部３６の端部が連結部３７によって連結されることで、全体が略門型に形成されている。このレバー３５は、ハウジング本体２１の両長手壁３１を両アーム部３６によって挟むようにして装着されるとともに、両軸突部３２に対して両アーム部３６の先端側にそれぞれ設けた軸受け凹部３８を後方から嵌めることで、軸突部３２を中心として回動可能に軸支されるようになっている（図８参照）。軸受け凹部３８は、図７に示すように、その入り口部分が軸突部３２の短手寸法とほぼ同じ幅とされるとともに、奥側部分が軸突部３２の長手寸法とほぼ同じ径の略円形状に形成されている。
【００２０】
両アーム部３６には、雄コネクタ１０のカムピン１４に係合可能なカム溝３９がそれぞれ設けられている。このカム溝３９は、入り口部３９ａから奥側へ行くのに従って次第に軸受け凹部３８に接近するような略渦巻き状に形成されている。またアーム部３６の外周縁のうち、カム溝３９の入り口部３９ａを挟んだ左右の所定領域は、軸受け凹部３８を中心とする円弧状に形成され、この部分が回動案内リブ３４に摺接可能とされている。このレバー３５は、図１３に示すように、ハウジング本体２１に対してカム溝３９の入り口部３９ａが正面を向いた初期位置に装着された状態から、カム溝３９にカムピン１４を係合させつつ時計回り方向に回動されるのに伴って、カムピン１４がカム溝３９に沿って変位されることで、両コネクタ１０，２０の嵌合を助勢できるようになっている。そして、レバー３５が、カム溝３９の奥端部が軸突部３２の真ん前に配される完了位置に達すると、図１８に示すように、両コネクタ１０，２０が完全嵌合に至る。
【００２１】
連結部３７の中央部分には、レバー３５が完了位置に達したときに雄コネクタ１０のロック突部１８に係止することで両コネクタ１０，２０を嵌合状態に保持可能なロックアーム４０が設けられている。このロックアーム４０は、連結部３７を切欠することで弾性変形可能な片持ち状に形成されているとともに、その延出端（後端）側には、ロック突部１８の後面に係止可能な係止段部４１が形成されている。また、連結部３７の後端部におけるロックアーム４０の両側方には、レバー３５を回動操作するための一対の操作部４２が設けられている。
【００２２】
ところで初期位置とされたレバー３５は、図１３に示すように、ハウジング本体２１から後方へ起立した姿勢をとっているのに対し、完了位置とされたレバー３５は、図１８に示すように、ハウジング本体２１に対して寝たような姿勢をとっている。つまり、レバー３５は、初期位置よりも完了位置のときの方がハウジング本体２１から後方へ突出する量が減少しており、この完了位置がレバー３５を格納しておくための格納位置（図１０参照）を兼ねている。
【００２３】
さて、この雌コネクタ２０には、レバー３５を初期位置と完了位置及び格納位置とに保持するための保持手段が備えられている。この保持手段として、ハウジング本体２１の両長手壁３１には、図３及び図７に示すように、レバー３５に係合可能な第１弾性片４３と第２弾性片４４とが表裏に一対ずつ形成されている。第１弾性片４３と第２弾性片４４は、共に長手壁３１を切欠することで後方へ延出する片持ち状に形成されるとともに、内方へ弾性変形可能とされている。長手壁３１における第１弾性片４３の撓み方向奥側の切欠縁部には、図３に示すように、第１弾性片４３が過度に撓み変形する手前の段階で第１弾性片４３に係合することで、その過度撓みを規制可能な第１過度撓み規制部４５が設けられている。長手壁３１における第２弾性片４４の撓み方向奥側の切欠縁部には、第１過度撓み規制部４５と同様の機能を有する第２過度撓み規制部４６が設けられている。
【００２４】
両第１弾性片４３は、図７に示すように、右側の２つの回動案内リブ３４の間の位置に配されるとともに、その延出端外面には、外方へ突出する第１保持突部４７が設けられている。この第１保持突部４７は、図８に示すように、アーム部３６のうちカム溝３９の奥端部付近の位置に穿設された第１係合孔４８内に進入されるとともに、その前面が第１係合孔４８の孔縁前部に係合することで、レバー３５を初期位置から反時計回り方向について回動規制できるようになっている。この第１保持突部４７の前面は、図４に示すように、長手壁３１の外面に対して鋭角をなす逆テーパ状に形成されることで、第１係合孔４８の孔縁との係合状態を強固に保つことができる。その一方、第１保持突部４７の後面は、長手壁３１の外面に対して鈍角をなすテーパ状に形成されることで、レバー３５の装着動作に伴って第１弾性片４３が弾性変形するよう案内可能とされている。
【００２５】
両第２弾性片４４は、図７に示すように、上記第１弾性片４３よりも長さ寸法・幅寸法共に大きく設定されており、長手壁３１の右端位置に配されるとともに、その延出端外面には、外方へ突出する第２保持突部４９が設けられている。この第２保持突部４９の後面に対して、図８に示すように、アーム部３６における連結部３７付近の位置（レバー３５における回動軌跡の外側端部近傍）に突設された係合片５０の前面が係合可能とされ、これによりレバー３５を初期位置から時計回り方向について回動規制できるようになっている。この第２保持突部４９の後面は、図５に示すように、長手壁３１の外面に対して鋭角をなす逆テーパ状に形成されることで、係合片５０との係合状態を強固に保つことができる。また係合片５０の前面も第２保持突部４９の後面に沿った傾斜面とされている（図１４参照）。その一方、第２保持突部４９の前面は、長手壁３１の外面に対して鈍角をなすテーパ状に形成されている。従って、嵌合時に雄コネクタ１０の解除突部１７が第２保持突部４９の前面に係合されるのに伴って第２弾性片４４が係合片５０との係合状態を解除しつつ弾性変形するよう案内可能とされている（図１６参照）。この第２保持突部４９の前面が解除案内面４９ａとされている。
【００２６】
第２保持突部４９は、レバー３５が格納位置及び完了位置に配されると、図１０及び図１１に示すように、アーム部３６のうち係合片５０と連結部３７との間の位置に穿設された四角形状の第２係合孔５１内に進入されるとともに、その前後面が第２係合孔５１の孔縁前後面にそれぞれ係合されることで、レバー３５を格納位置及び完了位置に保持できるようになっている。また第２保持突部４９の外面右側縁部には、前後に細長い保持力増強突部５２が外方へ突出して設けられているので、レバー３５の保持力を増強することができる。ここで第２保持突部４９の前面には、解除案内面４９ａが形成されるとともに、保持力増強突部５２の前面には、解除案内面４９ａに連続した勾配を有する傾斜面５２ａが形成されているから、レバー３５を格納位置及び完了位置から初期位置側へ所定以上の力でもって回動させた場合には、その力を受けて第２弾性片４４が第２係合孔５１の孔縁との係合状態を解除しつつ自動的に弾性変形されるようになっている。つまり、格納位置及び完了位置における第２弾性片４４によるレバー３５の保持は、セミロックとされている。なお、保持力増強突部５２の後面は、初期位置から格納位置及び完了位置側へレバー３５が回動し易くなるように、ハウジング本体２１の外面に対して鈍角をなすテーパ状に形成されるとともに、その後端が第２保持突部４９の外面に繋げられている。
【００２７】
ところで、連結部３７のうち操作部４２とは反対側の端部には、レバー３５が格納位置及び完了位置に至るのに伴ってハウジング本体２１の右側端部に突設した被衝合部５４の後面に衝合される衝合部５３が全幅にわたって形成されている。これら衝合部５３と被衝合部５４とが衝合することで、検知音が発生するとともに、レバー３５が格納位置及び完了位置から時計回り方向へ回動するのが規制される。なお嵌合時には、完了位置に至るとレバー３５の両操作部４２が雄コネクタ１０のフード部１２の前端面に衝合される。ハウジング本体２１のうち被衝合部５４に対して左隣りの位置には、図２及び図６に示すように、上記した検知音を響かせるための長方形状の音響空間５５が前方へ開口して形成されている。さらには、レバー３５のうち衝合部５３の後方に配された両操作部４２にも同様の機能を有する音響空間５６が側方へ開口して形成されている。
【００２８】
続いて、本実施形態のレバー式コネクタの製造手順を説明する。まず、成形現場にて雄タブ端子をインサートしつつジャンクションボックスと共に雄ハウジング１１を成形する一方で、雌コネクタ２０側のハウジング本体２１、各分割ハウジング２７及びレバー３５をそれぞれ成形する。その後、各部品を箱詰めして組付現場へと搬送するのであるが、ここでレバー３５はハウジング本体２１に対して格納位置に装着した状態で箱詰めしている。レバー３５の装着に当たっては、図７及び図８に示すように、レバー３５をハウジング本体２１の後方から挟み付けて一旦初期位置まで回動させる。その後、図９に示すように、両第２弾性片４４を外側から摘んで押圧することで、係合片５０との係合状態を解除するよう内方へ弾性変形させつつ、図１０に示すように、レバー３５を格納位置へと回動させる。このとき、レバー３５の衝合部５３がハウジング本体２１の被衝合部５４に衝合することで検知音が発生するので、レバー３５が格納位置に至ったか否かを明瞭に検知できる。このように両第２弾性片４４の解除操作を摘んで行うことができるので、作業性に優れる。
【００２９】
この格納位置では、レバー３５を初期位置とした場合と比較してハウジング本体２１からのレバー３５の突出量が小さくなっているから、搬送途中におけるレバー３５と他部品との干渉を極力回避でき、レバー３５の損傷を防ぐことができる。それに加えて、容積効率に優れ、搬送コストの低減にも寄与できる。また、格納位置としたレバー３５は、図１１に示すように、弾性復帰した第２弾性片４４の第２保持突部４９及び保持力増強突部５２が共に第２係合孔５１の孔縁に係合することで保持されているので、十分な保持力が得られており、搬送途中にレバー３５が格納位置から位置ずれするような事態を極力回避できる。
【００３０】
搬送先である組付現場では、ハウジング本体２１の両キャビティ２３及び各分割ハウジング２７の各キャビティ２８内に電線に接続した雌端子金具を収容した後、図１２に示すように、レバー３５を格納位置としたハウジング本体２１の各収容室２２内に、各分割ハウジング２７を後方から挿入して組み付ける。このとき格納位置のレバー３５は、連結部３７が収容室２２の側方に退避しているので分割ハウジング２７の組み付けがスムーズに行われる。その後、レバー３５を格納位置から反時計回り方向へ回動操作すると、第２弾性片４４は、第２保持突部４９の解除案内面４９ａ及び保持力増強突部５２の傾斜面５２ａにより案内されて、第２係合孔５１の孔縁との係合状態を解除しつつ弾性変形されるので、図１３に示すように、レバー３５を初期位置まで戻しておく。このように第２弾性片４４によるレバー３５の保持がセミロックとなっているので、作業性に優れる。この初期位置では、レバー３５は、図１３及び図１４に示すように、その回動軌跡の外側端部近傍に配された係合片５０が第２弾性片４４の第２保持突部４９に係合することで、十分な保持力が得られているから、続いて行われる嵌合作業までの間にレバー３５が初期位置から位置ずれするのを防ぐことができる。
【００３１】
このようにして組み付けた雌コネクタ２０を雄コネクタ１０に嵌合する作業を行う。雄コネクタ１０のフード部１２内に雌コネクタ２０を上方から軽く嵌合させ、図１５に示すように、カムピン１４がカム溝３９の入り口部３９ａに進入させる。この過程で、図１６に示すように、第２保持突部４９に解除突部１７が係合し、解除案内面４９ａに案内されて第２弾性片４４が係合片５０との係合状態を解除しつつ内方へ弾性変形される。これにより、初期位置としたレバー３５の回動規制状態が解除されるから、レバー３５を時計回り方向へ回動操作する。レバー３５が回動されるのに伴って、図１７に示すように、カム溝３９に沿ってカムピン１４が奥方へと変位することで、両コネクタ１０，２０の嵌合が進行される。そして、レバー３５が完了位置に達すると、図１８に示すように、両コネクタ１０，２０が完全嵌合状態に至るとともに、ロックアーム４０の係止段部４１にロック突部１８が係止する。このとき、第２保持突部４９が第２係合孔５１内に進入して、その孔縁の前後面に係合される。これらロックアーム４０と第２弾性片４４とにより両コネクタ１０，２０が嵌合状態から離脱不能に保持される。この完全嵌合に至るのに伴って、レバー３５の衝合部５３がハウジング本体２１の被衝合部５４に衝合することで検知音が発生するから、レバー３５が完了位置に至ったか否かを明瞭に検知でき、レバー３５が途中で留められて両コネクタ１０，２０が半嵌合とされるのを防ぐことができる。なお、アーム部３６のうち第２係合孔５１の周縁前後には、嵌合過程及び完全嵌合時に雄コネクタ１０の解除突部１７を逃がすための逃がし溝５７が形成されている。
【００３２】
一方、メンテナンスなどの事情により両コネクタ１０，２０を取り外す場合には、ロックアーム４０を撓ませてロック突部１８との係止状態を解除した後に、レバー３５を完了位置から初期位置へと反時計回り方向に回動させる。するとカムピン１４がカム溝３９に沿って入り口部３９ａ側へ変位することで、両コネクタ１０，２０の離脱が進行される。レバー３５が初期位置に至ったら、両コネクタ１０，２０を引き離すようにする。
【００３３】
以上説明したように本実施形態によれば、レバー３５を初期位置と完了位置及び格納位置との２位置に保持するための保持手段として第２弾性片４４を共通構造としたから、仮に共通させないようにした場合と比較してコネクタの構造を簡単にすることができる。しかも、嵌合時にレバー３５を回動させる際には、嵌合動作を利用して解除突部１７によって第２弾性片４４を撓ませることでその保持状態を解除できるから、例えば凹凸の嵌まり合いによって保持する場合と比較してレバー３５の回動操作性に優れる。
【００３４】
さらには、両第２弾性片４４をハウジング本体２１の表裏両面に一対配設したから、両第２弾性片４４を摘んで簡単に内方へ撓ませることができ、搬送時にレバー３５を搬送位置へ回動させる作業を簡単に行うことができる。しかも、第２弾性片４４に係合する係合片５０がレバー３５の回動軌跡の外側端部近傍に配設されているから、レバー３５の保持力を十分に得ることができ、レバー３５を確実に初期位置に保つことができる。
【００３５】
また、第２弾性片４４に解除案内面４９ａを設けることで格納位置におけるレバー３５の保持をセミロックとしたから、組付現場に搬送したレバー３５を初期位置に戻す作業を容易に行うことができる。しかも、第２弾性片４４に保持力増強突部５２を設けるとともに、その保持力増強突部５２に解除案内面４９ａに連続する勾配を有する傾斜面５２ａを設けるようにしたから、レバー３５の回動操作性を損なうことなく、レバー３５の保持力を増強することができる。
【００３６】
また、レバー３５の完了位置と格納位置とを一致させ、第２弾性片４４によって両位置に保持するようにしたから、コネクタの構造を一層簡単にすることができる。しかも、レバー３５が完了位置及び格納位置に達したかどうかを検知音の有無によって検知できるから、レバー３５が途中位置に留められるといった不具合を回避することができる。
【００３７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、レバーの格納位置と完了位置とを一致させる場合について示したが、コネクタの構造や使用状況などにより制約がある場合には、完了位置と格納位置とを別々に設定するようにしてもよい。
【００３８】
（２）上記した実施形態では、雄コネクタがジャンクションボックスに一体化されたものを示したが、例えば、電線の端末に接続した雄端子金具を収容するタイプの雄コネクタを上記実施形態の雌コネクタに嵌合するようなものも本発明に含まれる。
（３）上記した実施形態では、レバーを雌コネクタ側に装着した場合を示したが、逆に雄コネクタ側に装着する場合にも本発明は適用可能である。
【図面の簡単な説明】
【図１】本発明の一実施形態に係るレバー式コネクタの分解斜視図
【図２】ハウジング本体の正面図
【図３】ハウジング本体の背面図
【図４】図３のＡ−Ａ線断面図
【図５】図３のＢ−Ｂ線断面図
【図６】図３のＣ−Ｃ線断面図
【図７】ハウジング本体にレバーを装着する前の状態を示す平面図
【図８】ハウジング本体にレバーを初期位置に装着する作業を示す平面図
【図９】両第２弾性片を押圧する作業を示す図８のＤ−Ｄ線断面図
【図１０】ハウジング本体にレバーを格納位置に装着した状態を示す平面図
【図１１】図１０のＢ−Ｂ線断面図
【図１２】ハウジング本体に分割ハウジングを収容する前の状態を示す平面図
【図１３】両コネクタを嵌合する前の状態を示す部分切欠平面図
【図１４】図１３のＤ−Ｄ線断面図
【図１５】両コネクタの嵌合初期の状態を示す部分切欠平面図
【図１６】図１５のＤ−Ｄ線断面図
【図１７】両コネクタの嵌合途中の状態を示す部分切欠平面図
【図１８】両コネクタが完全嵌合に至った状態を示す部分切欠平面図
【符号の説明】
１１…雄ハウジング（相手ハウジング）
１４…カムピン
２１…ハウジング本体（ハウジング）
３５…レバー
３９…カム溝
４３…第１弾性片（初期位置保持手段）
４４…第２弾性片（共通構造である弾性片）
４９ａ…解除案内面
５０…係合片（初期位置係合部）
５１…第２係合孔（格納位置係合部）
５２…保持力増強突部
５２ａ…傾斜面
５３…衝合部（検知音発生手段）
５４…被衝合部（検知音発生手段）
【図１】
0004029587.tif 000002
【図２】
0004029587.tif 000003
【図３】
0004029587.tif 000004
【図４】
0004029587.tif 000005
【図５】
0004029587.tif 000006
【図６】
0004029587.tif 000007
【図７】
0004029587.tif 000008
【図８】
0004029587.tif 000009
【図９】
0004029587.tif 000010
【図１０】
0004029587.tif 000011
【図１１】
0004029587.tif 000012
【図１２】
0004029587.tif 000013
【図１３】
0004029587.tif 000014
【図１４】
0004029587.tif 000015
【図１５】
0004029587.tif 000016
【図１６】
0004029587.tif 000017
【図１７】
0004029587.tif 000018
【図１８】
0004029587.tif 000019